(57)【要約】【課題】  既設のシリンダ錠に簡単に後付けでき、しかも後加工を要しない補助錠を提供する。【解決手段】  短筒状で一端の開口に小径段部を形成すると共に、外周に取付溝７を形成し、取付板面３から抜き外した既設のシリンダ錠１を内筒部に収納するようにして取付板面に固定される取付リング４と、全体の形状が一面を開口させた細長い箱状で、一端に既設のシリンダ錠を覗かせる錠前開口を形成し、他端に後付けの補助錠９を装着した外ケース５と、上記後付けの補助錠の内筒に連設された第１及び第２の駆動カム１１、１２と、第１駆動カム１１によって一対の取付レバー１３、１３を制御して取付リングの取付溝７に係脱させる。【選択図】  図２
2008174950.tif 000002
【特許請求の範囲】
【請求項１】
短筒状で一端の開口に小径段部を形成すると共に、外周に取付溝を形成し、第１のシリンダ錠を内筒部に収納するようにして取付板面に固定される取付リングと、全体の形状が一面を開口させた細長い箱状で、一端に第１のシリンダ錠を覗かせる錠前開口を形成し、他端に第２のシリンダ錠を装着した外ケースと、上記第２のシリンダ錠の内筒に連設された第１及び第２の駆動カムと、上記外ケース内において、錠前開口及び後付けの補助錠の夫々の中心を結んだ線分に関し対称的に配設され、中央部を夫々回動可能に支承されると共に付勢ばねにより夫々の一端部が相互に離間する方向に付勢され、また、夫々の一端部の内側に上記取付リングの取付溝に係合する円弧状の側端縁を形成すると共に、上記第１駆動カムに連係された一対の取付レバーと、一端を外ケース内の上記錠前開口付近において回動可能に支承され、錠前開口を開放する又は閉鎖する方向に付勢されると共に、上記第２駆動カムに連係されたシャッター板とを有し、後付けの補助錠の合鍵を一方向に回動させることにより外ケースを取付リングから取り外し、他方向に回動させることによりシャッター板を開くようにしたことを特徴とする後付け補助錠。
【請求項２】
短筒状で一端の開口に小径段部を形成すると共に、外周に取付溝を形成し、第１のシリンダ錠を内筒部に収納するようにして取付板面に固定される取付リングと、全体の形状が一面を開口させた細長い箱状で、一端に第１のシリンダ錠を覗かせる錠前開口を形成し、他端に第２のシリンダ錠を装着した外ケースと、上記第２のシリンダ錠の内筒に連設された第１及び第２の駆動カムと、上記外ケース内において、錠前開口及び後付けの補助錠の夫々の中心を結んだ線分に関し対称的に配設され、基端部を夫々回動可能に支承されると共に付勢ばねにより夫々の自由端部が相互に近接する方向に付勢され、また、夫々の自由端部の内側に上記取付リングの取付溝に係合する円弧状の側端縁を形成すると共に、上記第１駆動カムに連係された一対の取付レバーと、一端を外ケース内の上記錠前開口付近において回動可能に支承され、錠前開口を開放する又は閉鎖する方向に付勢されると共に、上記第２駆動カムに連係されたシャッター板とを有し、後付けの補助錠の合鍵を一方向に回動させることにより外ケースを取付リングから取り外し、他方向に回動させることによりシャッター板を開くようにしたことを特徴とする後付け補助錠。
【発明の詳細な説明】
【技術分野】
【０００１】
この発明は、後付け補助錠（以下単に補助錠という）に係り、特に、構造が簡単で、扉等に対する後加工を要しない補助錠に関する。
に関する。
【背景技術】
【０００２】
本出願人は、先に、後記特許文献１を以て、新規な補助錠を提案した。この補助錠は、扉口における既設の通常のシリンダ錠に電気錠を後付けの補助錠として組込むものである。
【特許文献１】特開平８−１８９２３３号公報
【発明の開示】
【発明が解決しようとする課題】
【０００３】
この補助錠は、しかしながら、構造かが少しく複雑であり、また、既設のシリンダ錠付近の扉面に後加工を施す必要がある。
【０００４】
一方、例えば郵便受の扉やスイッチボックス等の扉においては補助錠が電気錠である必要は必ずしもないし、また、既設のシリンダ錠付近の扉面への後加工は一般に面倒で専門家の手を煩わすものであって一般に高価である。
【０００５】
そこでこの発明は、既設のシリンダ錠に簡単に後付けでき、しかも後加工を要しない補助錠を提供することを目的としている。
【課題を解決するための手段】
【０００６】
上記の目的を達成するため、請求項１に記載された発明は、短筒状で一端の開口に小径段部を形成すると共に、外周に取付溝を形成し、第１のシリンダ錠を内筒部に収納するようにして取付板面に固定される取付リングと、全体の形状が一面を開口させた細長い箱状で、一端に第１のシリンダ錠を覗かせる錠前開口を形成し、他端に第２のシリンダ錠を装着した外ケースと、上記第２のシリンダ錠の内筒に連設された第１及び第２の駆動カムと、上記外ケース内において、錠前開口及び後付けの補助錠の夫々の中心を結んだ線分に関し対称的に配設され、中央部を夫々回動可能に支承されると共に付勢ばねにより夫々の一端部が相互に離間する方向に付勢され、また、夫々の一端部の内側に上記取付リングの取付溝に係合する円弧状の側端縁を形成すると共に、上記第１駆動カムに連係された一対の取付レバーと、一端を外ケース内の上記錠前開口付近において回動可能に支承され、錠前開口を開放する又は閉鎖する方向に付勢されると共に、上記第２駆動カムに連係されたシャッター板とを有し、後付けの補助錠の合鍵を一方向に回動させることにより外ケースを取付リングから取り外し、他方向に回動させることによりシャッター板を開くようにしたことを特徴とする。
【０００７】
また、請求項２に記載の発明は、短筒状で一端の開口に小径段部を形成すると共に、外周に取付溝を形成し、第１のシリンダ錠を内筒部に収納するようにして取付板面に固定される取付リングと、全体の形状が一面を開口させた細長い箱状で、一端に第１のシリンダ錠を覗かせる錠前開口を形成し、他端に第２のシリンダ錠を装着した外ケースと、上記第２のシリンダ錠の内筒に連設された第１及び第２の駆動カムと、上記外ケース内において、錠前開口及び後付けの補助錠の夫々の中心を結んだ線分に関し対称的に配設され、基端部を夫々回動可能に支承されると共に付勢ばねにより夫々の自由端部が相互に近接する方向に付勢され、また、夫々の自由端部の内側に上記取付リングの取付溝に係合する円弧状の側端縁を形成すると共に、上記第１駆動カムに連係された一対の取付レバーと、一端を外ケース内の上記錠前開口付近において回動可能に支承され、錠前開口を開放する又は閉鎖する方向に付勢されると共に、上記第２駆動カムに連係されたシャッター板とを有し、後付けの補助錠の合鍵を一方向に回動させることにより外ケースを取付リングから取り外し、他方向に回動させることによりシャッター板を開くようにしたことを特徴とする。
【発明の効果】
【０００８】
上記のように構成された請求項１及び２に記載の発明による補助錠は、第１のシリンダ錠が既設のものであればそのシリンダ錠を取付板面から抜き外し、或いは、補助錠とセットになっているものであればその第１のシリンダ錠を取付リングの内筒部に収納してこれを取付板面に再び装着することにより、取付リングを取付板面に固定し、その取付溝に取付レバーを係合させることにより外ケースを取付リングに連結するようにしたので、取付板に後加工を施すことなく、かつ容易に、外ケースを第１のシリンダ錠を覆うように装着できる。
【０００９】
また、外ケースを取付板に装着した状態において、第１のシリンダ錠はシャッター板に覆われ、このシャッター板は後付けの補助錠の合鍵によって開閉できるので、後付けの補助錠を提供できる、という所期の効果を奏する。
【発明を実施するための最良の形態】
【００１０】
取付リングを第１のシリンダ錠を利用して取付板面に固定し、第２のシリンダ錠を内蔵すると共に第１のシリンダ錠を覗かせる錠前開口を開閉するシャッター板を設けた外ケースを、外ケースに内蔵した一対の取付レバーを介して取付リングに装着し、この取付レバー及びシャッター板を第２のシリンダ錠の合鍵によって制御するようにした。
【実施例１】
【００１１】
以下、この発明の実施例を図面を参照して説明する。
図１及び図２において符号１は第１のシリンダ錠を示す。
【００１２】
この第１のシリンダ錠は、既設のものを利用する場合と、この発明による補助錠とセットにして販売されるものが考えられるが、この実施例においては、第１のシリンダ錠は既設のシリンダ錠であるものとする。
【００１３】
この第１のシリンダ錠１は、通常の装着状態、すなわち、この発明による補助錠無しの単体で用いられる場合は、その内端部を例えば郵便受の蓋板、或いは自動販売機の扉等の取付板３（図２参照）に開口した付番しない取付穴に通した後、図２に示す取付段部２を取付板３の外面に接合させた状態でナット止めする。
【００１４】
この発明による補助錠を取付板３に装着するには、上記第１のシリンダ錠をナットを弛めて抜き外した後、取付リング４（図２参照）を上記第１のシリンダ錠１の取付段部２を利用して取付面３に固定し、この取付リング４を利用して外ケース５を取付板３に固定する。
【００１５】
上記取付リング４は、図２に示すように、短筒状で一端の開口に小径段部６を形成すると共に、外周に取付溝７を形成した筒体である。
【００１６】
そして、取付リング４を取付板３に固定するには、取付板３から抜き外した第１のシリンダ錠１を取付リング４の内筒部に収納するようにして、かつ、第１のシリンダ錠１の取付段部２と取付板３により上記小径段部６を挟みつけるようにして固定する。
【００１７】
上記のようにして取付板３の表面に固定された取付リング４に対し、後述する一対の取付レバーを介して外ケース５が装着される。
【００１８】
この外ケース５は、図１及び図２に示すように、全体の形状が長円形で一面（図２で右側）が開口した浅い箱状、或いは舟形の部材である。
【００１９】
この外ケースの一端（図２及び図３では上端）には前記第１のシリンダ錠１の鍵孔が開口した前端面を覗かせる錠前開口８（図３参照）が形成されている。
【００２０】
また、外ケース５の他端部には第２のシリンダ錠９（図２参照）が装着されている。
図示の実施例における補助錠９は、後述するように磁石タンブラー錠であるが、第２のシリンダ錠９として磁石タンブラー錠に限定されることなく、例えばピンタンブラー錠、ディスクタンブラー錠或いはレバータンブラー錠等他の形式のシリンダ錠を採用することができる。
【００２１】
上記第２のシリンダ錠９の内筒には、内側（図２で右側）から順に、第１駆動カム１１（図１乃至図３参照）と、第２駆動カム１２（図１及び図４参照）が連設されている。
【００２２】
通常かかるケース体は、例えば取付板３の裏面側から例えば取付ねじで表面に呼び付けるようにして固定されるが、この発明においては、外ケース内に内蔵された一対の取付レバーの一端を前記取付リングの取付溝に係合させることにより、着脱可能に、かつ容易に外ケースを取付面に装着できる。
【００２３】
すなわち、図２及び図３に示すように、外ケース５の開口部側（図２で右側）に、錠前開口８及び第２のシリンダ錠９の夫々の中心を結んだ線分に関し対称的に配設された一対の取付レバー１３、１３が設けられている。
【００２４】
これら一対の取付レバー１３、１３は、中央部を夫々取付レバー軸１４により回動可能に支承されており、夫々の一端部（図３で上端部）の内側、すなわち、上記錠前開口８に対向する側の側端縁は前記取付リングの取付溝７に係合できるように円弧状に成形されている。
【００２５】
また、その他端部は、引張りコイルばねとしての付勢ばね１５の弾力により、一対の取付レバー１３、１３の一端部が相互に拡開するように付勢されている。
【００２６】
更にまた、図３に示す補助錠９の施錠状態では、一対の取付レバーの取付レバー軸１４の下方において小判形の第１駆動カム１１に弾接することにより、これに連係されている。
【００２７】
一方、図４に示すように、外ケース５内には全体の形状が略卵形の板状体であるシャッター板１６が設けられており(図２参照)、このシャッター板１６は、シャッター軸１７により、その一端を外ケース５内の前記錠前開口付近において、回動可能に支承されている。
【００２８】
このシャッター板１６は、シャッター軸１７に巻装されたねじりコイルばねとしてのシャッターばね１８により、図４において時計方向に付勢されている。
【００２９】
すなわち、図４は補助錠の施錠状態を示し、このときにはシャッター板１６は錠前開口８(図３参照)を閉じているが、上記シャッターばね１８はシャッター板を開いて第１のシリンダ錠１を錠前開口８から覗かせる方向に作用する。
【００３０】
しかしながら、施錠状態ではシャッター板１６は扇形の前記第２区駆動カム１２に弾接して、図４に示すように錠前開口８を閉塞する角度位置に止まっている。
【００３１】
ちなみに、図示の実施例における第２のシリンダ錠９は、前記したように磁石タンブラー錠であり、磁石タンブラー錠の構成は従来公知であるから簡単に説明する。
【００３２】
磁石タンブラー錠の磁石タンブラー１９(図２参照)は、施錠状態においては、付番しないタンブラーばねの弾力によって図２で右方に付勢され、図５に示す内筒収納窪み２０に形成されたタンブラー窪み２１に落ち込んでいる。
【００３３】
一方、図６乃至図８に示すように、磁石タンブラー錠の合鍵２２は厚い円盤に摘みを一体に接続した形で、その円盤の外周面に突設された係合突起２３(図６及び図７参照)を、キー窪み２４に形成された係合窪み２６(図９参照)に係合させることにより、合鍵９と内筒を一体的に連結する。
【００３４】
そして、合鍵に埋設された鍵磁石２５（図８参照)と磁石タンブラー１９(図２参照) との間に生じる磁気吸引力を利用して、磁石タンブラー１９をタンブラー窪み２１から引き抜き、磁石タンブラー錠の内筒を自由にする。
【００３５】
上記のように構成されたこの発明の一実施例による補助錠は、図３及び図４に示す補助錠の施錠状態では、図９に示すように係合窪み２６が時計盤面に換算して１２時の角度位置にあり、第１及び第２駆動カム１１、１２は裏側から見て夫々図３及び図４に示す角度位置にある。
【００３６】
つまり、図３に示すように、小判形の第１駆動カムは４５度傾いた角度位置にあり、一対の取付レバー１３、１３の他端部を拡開するので、反対側の一端部の間隔が狭まり、その円弧状の側端縁により取付リングの取付溝７を掴持する。
【００３７】
したがって、外ケース５は取付レバー１３、１３及び取付リング４を介して取付板３に固定されることになる。
【００３８】
外ケース５を取付リング４から取外すには、キー窪み２４(図９参照)に合鍵２２を嵌め込み、補助錠を解錠した後これを反時計方向に４５度回動させると、図１０に示すように、付勢ばね１５の弾力により一対の取付レバー１３、１３の一端部が拡開し、取付リングとの係合か解けるので、外ケース５を取付リング４から取外すことができる。
【００３９】
一方、施錠状態では、前記したように、また図４及び図９に示すように、シャッター板１６は錠前開口を覆っているが、キー窪み２４に合鍵２２を嵌め込んで補助錠を解錠した後これを時計方向に９０度回すと、図１１に示すように第２駆動カム１２が反時計方向に９０ど回動し、この回動に追従してシャッター板１６が時計方向に回動して錠前開口８を開く。
【００４０】
そのため、第１のシリンダ錠用の合鍵を錠前開口を通して第１のシリンダ錠の鍵孔に差し込み、これを施解錠できる。
【００４１】
なお、外ケース５を取付リングに連結するには、キー窪み２４に合鍵２２を嵌め込んで補助錠を解錠した後、錠前開口８と取付リングとの軸線を整合させて外ケース５を取り付け板面に接合させ、しかる後合鍵を４５度回し戻して取付レバー１３、１３の一端部を取付リングの取付溝７に係合させる。
【実施例２】
【００４２】
なお、この発明は図示の実施例に限定されることなく、種々に変形して実施することができる。
例えば、請求項２に記載のように、付勢ばね１５のばね掛けピンを取付レバー軸１４に置き換え（図３参照）、また、取付レバー軸１４を付勢ばねのばね掛けピンとしてもこの発明を実施できる（図示せず）。
【００４３】
但し、この場合、の第２のシリンダ錠の施錠状態における第１駆動カム１１の角度位置を図１０に示すようにし、解錠状態においては図３に示すように設定する。
【実施例３】
【００４４】
また、図示の実施例ではシャッター板１６が錠前開口８を開くように付勢されているが、これは反対に錠前開口８をとじる方向に付勢し、第２駆動カム１２とシャッター板１６との係合の態様を適切に設定すれば、第２のシリンダ錠９の操作によりシャッター板１６を開くことができるように構成できる（図示せず）。
【図面の簡単な説明】
【００４５】
【図１】この発明の一実施例による補助錠の裏面図。
【図２】この発明の一実施例による補助錠の一部断面側面図で、施錠状態を示す。
【図３】この発明の一実施例による補助錠の取付レバーを示す裏面図で、取付レバーが取付リングと係合している状態を示す。
【図４】この発明の一実施例による補助錠のシャッター板及び第２駆動カムを示す裏面図で、シャッター板が錠前開口を閉じている状態を示す。
【図５】補助錠の内筒収納窪みの正面図。
【図６】合鍵の正面図。
【図７】合鍵の側面図。
【図８】合鍵の裏面図。
【図９】補助錠の正面図で、施錠状態を示す。
【図１０】図３と同様の補助錠の裏面図で、取付レバーと取付リングとの係合が解けた状態を示す。
【図１１】図４と同様の補助錠の裏面図で、シャッター板が錠前開口を開いた状態を示す。
【符号の説明】
【００４６】
１  第１のシリンダ錠
２  取付段部
３  取付板
４  取付リング
５  外ケース
６  小径段部
７  取付溝
８  錠前開口
９  第２のシリンダ錠
１１  第１駆動カム
１２  第２駆動カム
１３  取付レバー
１４  取付レバー軸
１５  付勢ばね
１６  シャッター板
１７  シャッター軸
１８  シャッターばね
１９  磁石タンブラー
２０  内筒収納窪み
２１  タンブラー窪み
２２  合鍵
２３  係合突起
２４  キー窪み
２５  鍵磁石
２６  係合窪み
【図１】
2008174950.tif 000003
【図２】
2008174950.tif 000004
【図３】
2008174950.tif 000005
【図４】
2008174950.tif 000006
【図５】
2008174950.tif 000007
【図６】
2008174950.tif 000008
【図７】
2008174950.tif 000009
【図８】
2008174950.tif 000010
【図９】
2008174950.tif 000011
【図１０】
2008174950.tif 000012
【図１１】
2008174950.tif 000013